(57)【特許請求の範囲】
【請求項１】
ガラスと、
前記ガラスの左右側部を収容し、溝底部と溝側部とを有する一対の収容溝を備えた骨材と、
前記骨材及び前記ガラスの見込み方向における外側に、前記溝側部と対向するように設けられ、前記ガラスを露出させるための採光開口部を備える表面材と、
前記採光開口部の両側縁に沿って上下方向に設けられ、前記表面材に取り付けられた一対の化粧モールと、
前記表面材と対向する前記溝側部を超えて見込み方向における内側に突出した、前記化粧モールを前記表面材に取り付けるための取り付け部品と、
前記溝側部の内側面に取り付けられた加熱発泡材と、
を有し、
前記一対の化粧モールの各々は、
前記収容溝に収容された前記ガラスの前記側部の各々に対応する位置に位置し、かつ、前記化粧モールの幅が前記側部の収容深さに略相当するように、
設けられ、
前記加熱発泡材は、
前記取り付け部品よりも上側と下側に該取り付け部品と接触しない状態で備えられ、かつ、
前記ガラスと対向すべく、左右方向において前記取り付け部品の最も外側の端を超えて内側へ延出する延出部を備えていることを特徴とする戸体。
【請求項２】
ガラスと、
前記ガラスの左右側部を収容し、溝底部と溝側部とを有する一対の収容溝を備えた骨材と、
前記骨材及び前記ガラスの見込み方向における外側に、前記溝側部と対向するように設けられ、前記ガラスを露出させるための採光開口部を備える表面材と、
前記採光開口部の両側縁に沿って上下方向に設けられ、前記表面材に取り付けられた一対の化粧モールと、
前記表面材と対向する前記溝側部を超えて見込み方向における内側に突出した、前記化粧モールを前記表面材に取り付けるための取り付け部品と、
前記溝側部の内側面に取り付けられた加熱発泡材と、
を有し、
前記一対の化粧モールの各々は、
前記収容溝に収容された前記ガラスの前記側部の各々に対応する位置に位置し、かつ、前記化粧モールの幅が前記側部の収容深さに略相当するように、
設けられ、
前記加熱発泡材は、長手方向が上下方向に沿うように該上下方向に連続的に設けられ、かつ、左右方向において前記取り付け部品よりも外側に該取り付け部品と接触しない状態で備えられていることを特徴とする戸体。
【請求項３】
請求項１又は請求項２に記載の戸体であって、
前記取り付け部品には、前記化粧モールが嵌め込まれ、
前記取り付け部品は、前記表面材に設けられた穴部に嵌め込まれることにより、前記化粧モールを前記表面材に機械拘束することを特徴とする戸体。
【請求項４】
請求項１乃至請求項３のいずれかに記載の戸体であって、
前記溝側部の前記取り付け部品に対応する位置には、切り欠きが設けられており、
前記取り付け部品は、前記切り欠きを通過して見込み方向における前記内側に突出していることを特徴とする戸体。
【請求項５】
請求項１乃至請求項４のいずれかに記載の戸体と、前記戸体を開閉可能に支持する枠体と、を有する建具。
【発明の詳細な説明】
【技術分野】
【０００１】
本発明は、戸体、及び、建具に関する。
【背景技術】
【０００２】
ドア本体等の戸体と、戸体を開閉可能に支持する枠体と、を有する一軒家やマンション、アパート等の玄関ドア等の建具は、既によく知られている。このような建具の中には、戸体に採光部が設けられているものがある。
【先行技術文献】
【特許文献】
【０００３】
【特許文献１】特開平８−４２２６１号公報
【発明の概要】
【発明が解決しようとする課題】
【０００４】
かかる採光部は、ガラスと、当該ガラスを露出させるために表面材に設けられた採光開口部と、により形成されている。
【０００５】
ところで、当該表面材の採光開口部近辺に化粧モールが取り付けられることがある。従来の化粧モールは、幅が大きく意匠性が良くなかった。また、その大きさに起因して、取り付けに関しても、簡易なものとは言えなかった。
【０００６】
また、採光開口部は、その構成上、火炎が通過し易いので、採光開口部近辺の防火対策が適切に成される必要がある。
【０００７】
本発明は、かかる課題に鑑みてなされたものであり、その目的とするところは、適切に防火対策が施され、意匠性が高く取り付けが簡易な化粧モールを備える戸体及び該戸体を備えた建具を実現することにある。
【課題を解決するための手段】
【０００８】
かかる目的を達成するために本発明の戸体は、ガラスと、
前記ガラスの左右側部を収容し、溝底部と溝側部とを有する一対の収容溝を備えた骨材と、
前記骨材及び前記ガラスの見込み方向における外側に、前記溝側部と対向するように設けられ、前記ガラスを露出させるための採光開口部を備える表面材と、
前記採光開口部の両側縁に沿って上下方向に設けられ、前記表面材に取り付けられた一対の化粧モールと、
前記表面材と対向する前記溝側部を超えて見込み方向における内側に突出した、前記化粧モールを前記表面材に取り付けるための取り付け部品と、
前記溝側部の内側面に取り付けられた加熱発泡材と、
を有し、
前記一対の化粧モールの各々は、
前記収容溝に収容された前記ガラスの前記側部の各々に対応する位置に位置し、かつ、前記化粧モールの幅が前記側部の収容深さに略相当するように、
設けられ、
前記加熱発泡材は、
前記取り付け部品よりも上側と下側に該取り付け部品と接触しない状態で備えられ、かつ、
前記ガラスと対向すべく、左右方向において前記取り付け部品の最も外側の端を超えて内側へ延出する延出部を備えていることを特徴とする戸体である。
【０００９】
このような戸体によれば、適切に防火対策が施され、意匠性が高く取り付けが簡易な化粧モールを備える戸体を実現することが可能となる。
【００１０】
また、かかる目的を達成するために本発明の戸体は、ガラスと、
前記ガラスの左右側部を収容し、溝底部と溝側部とを有する一対の収容溝を備えた骨材と、
前記骨材及び前記ガラスの見込み方向における外側に、前記溝側部と対向するように設けられ、前記ガラスを露出させるための採光開口部を備える表面材と、
前記採光開口部の両側縁に沿って上下方向に設けられ、前記表面材に取り付けられた一対の化粧モールと、
前記表面材と対向する前記溝側部を超えて見込み方向における内側に突出した、前記化粧モールを前記表面材に取り付けるための取り付け部品と、
前記溝側部の内側面に取り付けられた加熱発泡材と、
を有し、
前記一対の化粧モールの各々は、
前記収容溝に収容された前記ガラスの前記側部の各々に対応する位置に位置し、かつ、前記化粧モールの幅が前記側部の収容深さに略相当するように、
設けられ、
前記加熱発泡材は、長手方向が上下方向に沿うように該上下方向に連続的に設けられ、かつ、左右方向において前記取り付け部品よりも外側に該取り付け部品と接触しない状態で備えられていることを特徴とする戸体である。
【００１１】
このような戸体によれば、適切に防火対策が施され、意匠性が高く取り付けが簡易な化粧モールを備える戸体を実現することが可能となる。
かかる戸体であって、
【００１２】
前記取り付け部品には、前記化粧モールが嵌め込まれ、
前記取り付け部品は、前記表面材に設けられた穴部に嵌め込まれることにより、前記化粧モールを前記表面材に機械拘束することが望ましい。
【００１３】
このような戸体によれば、化粧モールをより確実かつ簡易に取り付けることが可能となる。
【００１４】
かかる戸体であって、
前記溝側部の前記取り付け部品に対応する位置には、切り欠きが設けられており、
前記取り付け部品は、前記切り欠きを通過して見込み方向における前記内側に突出していることが望ましい。
【００１５】
このような戸体によれば、取り付け部品を複数種類用意する必要がなくなり、コストダウンが図れる。
【００１６】
次に、前記戸体と、前記戸体を開閉可能に支持する枠体と、を有する建具である。
【００１７】
このような建具によれば、適切に防火対策が施され、意匠性が高く取り付けが簡易な化粧モールを備える建具を実現することが可能となる。
【発明の効果】
【００１８】
本発明によれば、適切に防火対策が施され、意匠性が高く取り付けが簡易な化粧モールを備える戸体及び該戸体を備えた建具を実現することが可能となる。
【図面の簡単な説明】
【００１９】
【図１】玄関ドア１０の正面図である。
【図２】ドア本体４０の横断面図である。
【図３】骨材５０、面材６０、化粧モール６５、嵌め込み式金具６７、及び、加熱発泡材７０の位置関係を示した横断面図である。
【図４】骨材５０、面材６０、化粧モール６５、嵌め込み式金具６７、及び、加熱発泡材７０の位置関係を示した正面及び側面図である。
【図５】骨材５０、面材６０、化粧モール６５、嵌め込み式金具６７、及び、加熱発泡材７０の位置関係を示した斜視図である。
【図６】図５の斜視分解図である。
【図７】骨材５０、面材６０、化粧モール６５、嵌め込み式金具６７、及び、加熱発泡材１７０の位置関係を示した第二実施形態に係る横断面図である。
【図８】骨材５０、面材６０、化粧モール６５、嵌め込み式金具６７、及び、加熱発泡材１７０の位置関係を示した第二実施形態に係る正面及び側面図である。
【図９】骨材５０、面材６０、化粧モール６５、嵌め込み式金具６７、及び、加熱発泡材１７０の位置関係を示した第二実施形態に係る斜視図である。
【図１０】図９の斜視分解図である。
【発明を実施するための形態】
【００２０】
＝＝＝本実施の形態に係る玄関ドア１０について＝＝＝
本実施の形態に係る建具の一例としての玄関ドア１０について、図１乃至図６を用いて説明する。
【００２１】
なお、以下の説明においては、玄関ドア１０を室外側から見たときに、上下となる方向を上下方向、左右となる方向を左右方向、室内外方向である奥行き方向を見込み方向として示す。なお、本実施の形態においては、吊元側が左側となり、戸先側が右側となる。
【００２２】
本実施の形態に係る玄関ドア１０は、枠体２０と戸体の一例としてのドア本体４０とを備えている。
【００２３】
枠体２０は、上枠２２と、下枠２４と、左右の縦枠２６と、を備えている。そして、枠体２０は、これら４つの枠が矩形状に枠組みされて、全体として開口を形成している。
【００２４】
ドア本体４０は、枠体２０により形成された前記開口に収容される部材である。ドア本体４０は、枠体２０に対して、開閉可能に支持して取り付けられている。
【００２５】
より具体的には、ドア本体４０は、枠体２０にヒンジ３０により回動自在に支持されている。そして、操作者が、把手４２を把持してドア本体４０を見込み方向に開いたり閉じたりできるようになっている。
【００２６】
また、本実施の形態に係るドア本体４０には、採光部４４が設けられている。この採光部４４は、ドア本体４０の上下方向における上側、かつ、ドア本体４０の左右方向における吊元側に位置している。
【００２７】
次に、ドア本体４０の採光部４４周辺の構成について、主として図２乃至図６を参照しつつ説明する。
【００２８】
採光部４４は、ガラス４６と、当該ガラス４６を露出させるために面材６０（屋外面材６０ａ及び屋内面材６０ｂ）に設けられた採光開口部６１と、により形成されている。
【００２９】
ガラス４６は、図１に示すように、矩形状を備えており、当該ガラス４６の長辺方向が上下方向に沿い、かつ、短辺方向が左右方向に沿った状態で、ドア本体４０に取り付けられている。なお、ガラス４６の厚み方向は、見込み方向に沿っている。
【００３０】
そして、ドア本体４０には、ガラス４６の左右方向における両端部４８（左右側部に相当。左側の端部を第一端部４８ａと右側の端部を第二端部４８ｂとそれぞれ呼ぶ）を収容する一対の収容溝５２を備えた骨材５０が設けられている。
【００３１】
つまり、骨材５０は、ガラス４６と左右方向において一部オーバーラップした状態でガラス４６の左側に設けられた第一骨材５０ａと、ガラス４６と左右方向において一部オーバーラップした状態でガラス４６の右側に設けられた第二骨材５０ｂと、を有している。そして、第一骨材５０ａは、前記一対の収容溝５２のうちの一方（第一収容溝５２ａと呼ぶ）を備えており、第二骨材５０ｂは、前記一対の収容溝５２のうちの他方（第二収容溝５２ｂと呼ぶ）を備えている。そして、第一収容溝５２ａは、ガラス４６の第一端部４８ａを収容し、第二収容溝５２ｂは、ガラス４６の第二端部４８ｂを収容している。このように、骨材５０の前記一対の収容溝５２の位置は、左右方向においてガラス４６の外側に位置している。
【００３２】
骨材５０（第一骨材５０ａ及び第二骨材５０ｂ）は、上下方向において、ガラス４６の上端部に対応する位置から下端部に対応する位置まで連続して設けられている。そして、上下方向におけるどの位置においても（ただし、後述する切り欠き５４ｃについては、例外である）同一の断面形状を備えている。
【００３３】
当該断面形状について説明すると、骨材５０（第一骨材５０ａ及び第二骨材５０ｂ）は、図２及び図３に示すように、前述した収容溝５２と、骨材５０を後述する屋内面材６０ｂの折り曲げ部６３に固定するための固定部５６と、当該屋内面材６０ｂの本体部６２と対向する屋内面材対向部５７と、を備えている。収容溝５２は、溝底面形成部５３（溝底部に相当）と、二つの溝側面形成部５４、すなわち、室外側側面形成部５４ａ（溝側部に相当）及び室内側側面形成部５４ｂと、を有しており、溝底面形成部５３と二つの溝側面形成部５４によりコの字形状が形成されている。
【００３４】
図２及び図３の横断面において、室外側側面形成部５４ａ、室内側側面形成部５４ｂ、及び、屋内面材対向部５７は、左右方向に沿っており、溝底面形成部５３及び固定部５６は、見込み方向に沿っている。つまり、室外側側面形成部５４ａと溝底面形成部５３の境界、溝底面形成部５３と室内側側面形成部５４ｂの境界、室内側側面形成部５４ｂと固定部５６の境界、固定部５６と屋内面材対向部５７の境界で、それぞれ骨材５０が折り曲げられている。
【００３５】
なお、第一骨材５０ａと第二骨材５０ｂは、線対称となっており、互いの収容溝５２の開口５８が向かい合っている。
【００３６】
また、第一収容溝５２ａは、ガラス４６の第一端部４８ａを収容し、第二収容溝５２ｂは、ガラス４６の第二端部４８ｂを収容していることを既に述べたが、第一端部４８ａ（第二端部４８ｂ）とは、ガラス４６のうち第一収容溝５２ａ（第二収容溝５２ｂ）内に入っている部分を言う。すなわち、左右方向において溝側面形成部５４とオーバーラップした部分、換言すれば、左右方向において溝側面形成部５４の最も内側（ガラス中央側）の端よりも外側に位置する部分を言う。
【００３７】
また、第二収容溝５２ｂ内には、ガラス４６の左右方向における位置を位置決めするためのセッティングブロック９０が収容されている。このセッティングブロック９０の左右方向における一端が溝底面形成部５３に固定され、他端にガラス４６が接触することにより、ガラス４６の位置決めが成されている。
【００３８】
また、骨材５０及びガラス４６の見込み方向における外側には、二つの面材６０が備えられている。すなわち、面材６０は、骨材５０及びガラス４６よりも見込み方向において室外側に設けられた屋外面材６０ａ（表面材に相当）と、室内側に設けられた屋内面材６０ｂと、を有している。
【００３９】
そして、屋外面材６０ａと屋内面材６０ｂには、ガラス４６を露出させるための矩形状の採光開口部６１が、左右方向及び上下方向においてガラス４６に対応する位置にそれぞれ設けられている。つまり、屋外面材６０ａと屋内面材６０ｂには、孔が備えられ、当該孔を通して室内側及び室外側からガラス４６が見えるようになっている。なお、図１には、屋外面材６０ａに設けられた矩形状の採光開口部６１が示されている。
【００４０】
また、当該採光開口部６１には、屋外面材６０ａ及び屋内面材６０ｂが見込み方向における内側（ガラス側）に折り曲げられた折り曲げ部６３が備えられている。つまり、図２及び図３の横断面において、屋外面材６０ａや屋内面材６０ｂは、左右方向に沿った本体部６２と、当該本体部６２から前記内側に折り曲げられ見込み方向に沿った折り曲げ部６３と、を備えている。
【００４１】
そして、屋外面材６０ａの折り曲げ部６３は、前記室外側側面形成部５４ａの先端を覆いつつ、当該室外側側面形成部５４ａを超えて延出している。また、屋内面材６０ｂの折り曲げ部６３は、前記固定部５６を覆いつつ、屋内面材対向部５７、固定部５６、及び、室内側側面形成部５４ｂを超えて延出している。そして、骨材５０（の固定部５６）には、屋内面材６０ｂの折り曲げ部６３がリベットやネジなどの固着具で止着されている。
【００４２】
また、屋外面材６０ａの折り曲げ部６３の延出端と屋内面材６０ｂの折り曲げ部６３の延出端には、それぞれガスケット９２が装着されており、これらの二つのガスケット９２により見込み方向にガラス４６が挟まれて支持されている。
【００４３】
屋外面材６０ａの本体部６２は、室外側側面形成部５４ａと見込み方向において対向するように設けられている。また、屋内面材６０ｂの本体部６２は、前述したとおり、屋内面材対向部５７と見込み方向において対向するように設けられている。
【００４４】
また、屋外面材６０ａには（つまり、室外側には）、玄関ドア１０の意匠性を向上させるための一対の（二つの）化粧モール６５が取り付けられている。すなわち、化粧モール６５は、図１に示すように、前記採光開口部６１（採光部４４）の両側縁に沿って上下方向においてドア本体４０の上端部から下端部に亘って設けられている。また、左右方向において、一方は、採光開口部６１（採光部４４）の右側（戸先側）の側縁に設けられ、他方は、採光開口部６１（採光部４４）の左側（吊元側）の側縁に設けられている。
【００４５】
また、一対の化粧モール６５の各々は、図２に示すように、左右方向において収容溝５２（第一収容溝５２ａ、第二収容溝５２ｂ）に収容された前記両端部４８（第一端部４８ａ、第二端部４８ｂ）の各々に対応する位置に位置し、かつ、化粧モール６５の幅（つまり、左右方向における長さ）が両端部４８（第一端部４８ａ、第二端部４８ｂ）の収容深さ（つまり、左右方向における長さ）に略相当するように、設けられている。すなわち、第一端部４８ａ（第二端部４８ｂ）の左右方向における外側端の位置は、化粧モール６５の左右方向（幅方向）における外側端の位置に略一致し、第一端部４８ａ（第二端部４８ｂ）の左右方向における内側端の位置は、化粧モール６５の左右方向（幅方向）における内側端の位置に略一致する。このように、本実施の形態における化粧モール６５は、その幅が狭くすっきりした形態となっているため、意匠性の高いものとなっている。
【００４６】
また、当該化粧モール６５は、化粧モール６５を屋外面材６０ａに取り付けるための取り付け部品の一例としての嵌め込み式金具６７によって、屋外面材６０ａに取り付けられている。そして、嵌め込み式金具６７には、化粧モール６５が嵌め込まれ、嵌め込み式金具６７は、屋外面材６０ａの前記本体部６２に設けられた矩形状の穴部６２ａに嵌め込まれることにより、化粧モール６５を屋外面材６０ａに機械拘束している。
【００４７】
すなわち、嵌め込み式金具６７は、図３及び図４に示すように、バネ性を備えた頭部６７ａと、バネ性を備えた脚部６７ｂと、を有している。そして、頭部６７ａに化粧モール６５を装着すると、頭部６７ａのバネ性により頭部６７ａが化粧モール６５に引っ掛かり、頭部６７ａに化粧モール６５が嵌め込まれるようになっている。また、屋外面材６０ａに設けられた穴部６２ａに脚部６７ｂが挿入されると、脚部６７ｂのバネ性により脚部６７ｂが広がって穴部６２ａに引っ掛かり、屋外面材６０ａに脚部６７ｂが嵌め込まれるようになっている。なお、嵌め込み式金具６７を予め、屋外面材６０ａに設けられた穴部６２ａに脚部６７ｂが挿入した状態で頭部６７ａに化粧モール６５を装着しても良い。
【００４８】
この嵌め込み式金具６７は、化粧モール６５の上端部から下端部に亘って所定間隔で複数個設けられている。つまり、一対の化粧モール６５の各々は、複数個の嵌め込み式金具６７によって屋外面材６０ａに固定されている。そのため、穴部６２ａも、屋外面材６０ａの上端部から下端部に亘って、上下方向に並ぶように複数設けられている。
【００４９】
また、上述したとおり、骨材５０（第一骨材５０ａ及び第二骨材５０ｂ）は、上下方向において、ガラス４６の上端部に対応する位置から下端部に対応する位置まで連続して設けられており、骨材５０の室外側側面形成部５４ａは屋外面材６０ａと見込み方向において対向している。そのため、ガラス４６の上端部に対応する位置から下端部に対応する位置までの間に設けられている幾つかの嵌め込み式金具６７（特に、その脚部６７ｂ）は、屋外面材６０ａと対向する室外側側面形成部５４ａを超えて見込み方向における内側に突出することとなる（図３参照）。
【００５０】
そこで、室外側側面形成部５４ａの嵌め込み式金具６７に対応する位置には、嵌め込み式金具６７よりも一回り大きい面積を有する矩形状の切り欠き５４ｃが設けられている。そして、嵌め込み式金具６７（特に、その脚部６７ｂ）は、当該切り欠き５４ｃに嵌め込まれるのではなく、当該切り欠き５４ｃを非接触状態で通過して見込み方向における内側に突出するようになっている（図６参照）。なお、切り欠き５４ｃは穴であっても良い。
【００５１】
また、前述した収容溝５２内には、シート状の部材であり、火災の際に火炎に晒されると膨張して、その体積が大きくなる加熱発泡材７０が設けられている。そして、このことにより、隙間を埋め、火炎の通り道を塞ぐ機能を発揮する。
【００５２】
加熱発泡材７０は、二つの収容溝５２の各々に備えられ、収容溝５２毎に二つの加熱発泡材７０（室外側発泡材７２及び室内側発泡材７６と呼ぶ）が設けられている。室外側発泡材７２は、室外側側面形成部５４ａの内側の面（以下、内側面５４ｄとする）に、室内側発泡材７６は、室内側側面形成部５４ｂの内側面５４ｅに、それぞれ取り付けられている（貼付されている）。
【００５３】
室外側発泡材７２は、上下方向において、ガラス４６の上端部に対応する位置から下端部に対応する位置に亘って矩形状に設けられているが、幾つかの箇所で分断されている（室外側発泡材７２が途切れて空間になっている部分がある。図４及び図６参照）。すなわち、前述したとおり、室外側側面形成部５４ａの嵌め込み式金具６７に対応する位置には、切り欠き５４ｃが設けられている。さらに、前述したとおり、嵌め込み式金具６７（特に、その脚部６７ｂ）は、室外側側面形成部５４ａを超えて見込み方向における内側に突出している。そのため、嵌め込み式金具６７との物理的干渉を避けるために、上下方向において切り欠き５４ｃ（嵌め込み式金具６７）に対応する位置には、室外側発泡材７２が設けられておらず、該位置は前記空間となっている。換言すれば、室外側発泡材７２は、上下方向において嵌め込み式金具６７よりも上側と下側に該嵌め込み式金具６７と接触しない状態（嵌め込み式金具６７から離間した状態）で備えられている。なお、本実施の形態においては、上側の室外側発泡材７２の下端と切り欠き５４ｃの上端の上下方向における位置は略一致し、下側の室外側発泡材７２の上端と切り欠き５４ｃの下端の上下方向における位置は略一致している。
【００５４】
また、左右方向においては、室外側発泡材７２の外側の端（外側端７２ａとする）は、室外側側面形成部５４ａの外側の端まで至っているが（溝底面形成部５３に接触しているが）、室外側発泡材７２の内側の端（内側端７２ｂとする）は、室外側側面形成部５４ａの内側の端まで至っていない。しかしながら、当該内側端７２ｂは、嵌め込み式金具６７の最も外側の端６７ｃ（また、切り欠き５４ｃの最も外側の端５４ｆ）は超えている。
【００５５】
つまり、室外側発泡材７２は、左右方向において嵌め込み式金具６７の最も外側の端６７ｃを超えて内側へ延出する延出部７２ｃを備えている。そして、この延出部７２ｃは、図２に示すように、ガラス４６と対向している。すなわち、室外側発泡材７２は、ガラス４６と対向すべく嵌め込み式金具６７の最も外側の端６７ｃを超えて内側へ延出する延出部７２ｃを備えている。
【００５６】
一方、室内側発泡材７６は、室外側発泡材７２と同様、上下方向において、ガラス４６の上端部に対応する位置から下端部に対応する位置に亘って矩形状に設けられているが、室外側発泡材７２とは異なり、嵌め込み式金具６７との物理的干渉の虞がないため、前述した空間は存在せず（分断されておらず）、連続的に設けられている。なお、左右方向に係る構成については、室外側発泡材７２の構成と同様である。
【００５７】
＜＜＜本実施の形態に係る玄関ドア１０（ドア本体４０）の有効性について＞＞＞
上述した通り、本実施の形態に係る玄関ドア１０（ドア本体４０）は、ガラス４６と、ガラス４６の左右側部（左右方向における両端部４８）を収容し、溝底面形成部５３と室外側側面形成部５４ａとを有する一対の収容溝５２を備えた骨材５０と、骨材５０及びガラス４６の見込み方向における外側に、室外側側面形成部５４ａと対向するように設けられ、ガラス４６を露出させるための採光開口部６１を備える屋外面材６０ａと、採光開口部６１の両側縁に沿って上下方向に設けられ、屋外面材６０ａに取り付けられた一対の化粧モール６５と、屋外面材６０ａと対向する室外側側面形成部５４ａを超えて見込み方向における内側に突出した、化粧モール６５を屋外面材６０ａに取り付けるための取り付け部品（嵌め込み式金具６７）と、室外側側面形成部５４ａの内側面５４ｄに取り付けられた室外側発泡材７２と、を有することとした。
【００５８】
そして、一対の化粧モール６５の各々は、収容溝５２に収容されたガラス４６の側部（両端部４８）の各々に対応する位置に位置し、かつ、化粧モール６５の幅が側部（両端部４８）の収容深さに略相当するように、設けられていることとした。
【００５９】
そのため、化粧モール６５が、採光開口部６１の両側縁に沿って（前記収容深さ程度の）幅狭に設けられ、すっきりしたデザインとなり、化粧モール６５の意匠性が高くなる。また、化粧モール６５が幅狭になったことによりコンパクトになり、化粧モール６５を簡易に取り付け部品（嵌め込み式金具６７）で取り付けることができるようになる。
【００６０】
また、本実施の形態においては、化粧モール６５を採光開口部６１の両側縁に沿って幅狭に設けたことにより、嵌め込み式金具６７も採光開口部６１の両側縁に対応して設けられることとなるが、嵌め込み式金具６７が室外側側面形成部５４ａを超えて見込み方向における内側に突出することとなる。そのため、当該嵌め込み式金具６７との物理的干渉を適切に回避しつつ、室外側発泡材７２による防火機能が適切に発揮されるように、室外側発泡材７２を内側面５４ｄに取り付ける必要がある。特に、採光開口部６１は、その構成（つまり、開口となっている構成）上、火炎が通過し易いので、採光開口部６１付近の防火対策が適切に成される必要がある。
【００６１】
これに対し、本実施の形態に係る室外側発泡材７２は、嵌め込み式金具６７よりも上側と下側に該嵌め込み式金具６７と接触しない状態で備えられ、かつ、ガラス４６と対向すべく前記嵌め込み式金具６７の最も外側の端６７ｃを超えて内側へ延出する延出部７２ｃを備えていることとした。
【００６２】
そのため、嵌め込み式金具６７との物理的干渉を適切に回避することができる。また、延出部７２ｃが、嵌め込み式金具６７の最も外側の端６７ｃを超えて内側へ延出していることと、ガラス４６と対向していることから、火災の際に火炎に晒されて膨張した延出部７２ｃはガラス４６に接触して嵌め込み式金具６７側へはみ出すこととなり、発泡前の室外側発泡材７２が途切れて空間になっている部分を発泡後の室外側発泡材７２が適切に埋めてくれることとなる。
【００６３】
以上のことから、本実施の形態によれば、適切に防火対策が施され、意匠性が高く取り付けが簡易な化粧モール６５を備えるドア本体４０及び玄関ドア１０を実現することが可能となる。
【００６４】
また、本実施の形態においては、取り付け部品を嵌め込み式金具６７とした。すなわち、取り付け部品には、化粧モール６５が嵌め込まれ、取り付け部品は、屋外面材６０ａに設けられた穴部６２ａに嵌め込まれることにより、化粧モール６５を屋外面材６０ａに機械拘束することとした。
【００６５】
そのため、化粧モール６５を両面テープなどにより止める場合に比べて、化粧モール６５をより確実に取り付けることができる。また化粧モール６５をリベットなどにより止める場合に比べて、化粧モール６５をより簡易に取り付けることができる。このように、本実施の形態によれば、化粧モール６５をより確実かつ簡易に取り付けることが可能となる。
【００６６】
また、本実施の形態においては、室外側側面形成部５４ａの嵌め込み式金具６７に対応する位置には、切り欠き５４ｃが設けられており、嵌め込み式金具６７は、切り欠き５４ｃを通過して見込み方向における前記内側に突出していることとした。
【００６７】
仮に、室外側側面形成部５４ａに切り欠き５４ｃが設けられておらず、室外側側面形成部５４ａに嵌め込み式金具６７を嵌め込むような形態とした場合には、嵌め込み式金具６７は、屋外面材６０ａ（面材６０）と室外側側面形成部５４ａ（骨材５０）の双方に嵌め込まれることとなる。そして、かかる場合には、双方に嵌め込まれる当該嵌め込み式金具６７を、室外側側面形成部５４ａ（骨材５０）が存在しない位置（すなわち、上下方向においてガラス４６よりも上側又は下側の位置）で屋外面材６０ａ（面材６０）のみに嵌め込まれる嵌め込み式金具６７とは別仕様とする必要が生じる。
【００６８】
これに対し、本実施の形態においては、室外側側面形成部５４ａに切り欠き５４ｃを設けることとしたため、室外側側面形成部５４ａ（骨材５０）が存在する位置においても、室外側側面形成部５４ａ（骨材５０）が存在しない位置と同様、嵌め込み式金具６７が屋外面材６０ａ（面材６０）のみに嵌め込まれることとなる。そのため、嵌め込み式金具６７を複数種類用意する必要がなくなり、コストダウンが図れることとなる。
【００６９】
＝＝＝第二実施形態に係る玄関ドア１０について＝＝＝
次に、第二実施形態に係る玄関ドア１０について、図７乃至図１０を用いて説明する。なお、上記実施の形態（第一実施形態とも呼ぶ）と同一の構成部分には同一符号を付して重複する説明を省略して述べる。
【００７０】
第二実施形態の第一実施形態との主たる相違点は、加熱発泡材の構成である。以下、具体的に当該構成について説明する。
【００７１】
第一実施形態と同様、収容溝５２内には、加熱発泡材１７０が設けられている。加熱発泡材１７０は、二つの収容溝５２の各々に備えられ、収容溝５２毎に二つの加熱発泡材１７０（室外側発泡材１７２及び室内側発泡材１７６と呼ぶ）が設けられている。室外側発泡材１７２は、室外側側面形成部５４ａの内側の面（以下、内側面５４ｄとする）に、室内側発泡材１７６は、室内側側面形成部５４ｂの内側面５４ｅに、それぞれ取り付けられている（貼付されている）。
【００７２】
室外側発泡材１７２は、第一実施形態と同様、上下方向において、ガラス４６の上端部に対応する位置から下端部に対応する位置に亘って矩形状に設けられているが、第一実施形態とは異なり、前述した空間は存在せず（分断されておらず）、連続的に設けられている。つまり、室外側発泡材１７２は、長手方向が上下方向に沿うように該上下方向に連続的に設けられている。
【００７３】
一方、左右方向においては、第一実施形態と同様、室外側発泡材１７２の外側端１７２ａは、室外側側面形成部５４ａの外側の端まで至っているが（溝底面形成部５３に接触しているが）、室外側発泡材１７２の内側端１７２ｂは、室外側側面形成部５４ａの内側の端まで至っていない。しかしながら、第一実施形態とは異なり、当該内側端１７２ｂは、嵌め込み式金具６７の最も外側の端６７ｃ（また、切り欠き５４ｃの最も外側の端５４ｆ）も超えていない。
【００７４】
つまり、室外側発泡材１７２は、左右方向において嵌め込み式金具６７よりも外側に該嵌め込み式金具６７と接触しない状態（嵌め込み式金具６７から離間した状態）で備えられている。すなわち、室外側発泡材１７２の内側端１７２ｂは、嵌め込み式金具６７の端６７ｃよりも、左右方向において外側に位置している。なお、本実施の形態においては、内側端１７２ｂの左右方向における位置は、切り欠き５４ｃの端５４ｆの左右方向における位置と略一致している。このように、第二実施形態においても、第一実施形態と同様、室外側発泡材１７２に嵌め込み式金具６７との物理的干渉が生じないように、室外側発泡材１７２が配置されている。
【００７５】
一方、室内側発泡材１７６は、室外側発泡材１７２と同様、上下方向において、ガラス４６の上端部に対応する位置から下端部に対応する位置に亘って途切れることなく矩形状かつ連続的に設けられているが、室外側発泡材１７２とは異なり、嵌め込み式金具６７との物理的干渉の虞がないため、室内側発泡材１７６の内側端１７６ａは、嵌め込み式金具６７の端６７ｃを超えている。つまり、室内側発泡材１７６の幅は、室外側発泡材１７２の幅よりも広くなっている。
【００７６】
このように、第二実施形態においては、第一実施形態と同様、一対の化粧モール６５の各々は、収容溝５２に収容されたガラス４６の側部（両端部４８）の各々に対応する位置に位置し、かつ、化粧モール６５の幅が側部（両端部４８）の収容深さに略相当するように、設けられていることとした。
【００７７】
そのため、化粧モール６５が、採光開口部６１の両側縁に沿って（前記収容深さ程度の）幅狭に設けられ、すっきりしたデザインとなり、化粧モール６５の意匠性が高くなる。また、化粧モール６５が幅狭になったことによりコンパクトになり、化粧モール６５を簡易に取り付け部品（嵌め込み式金具６７）で取り付けることができるようになる。
【００７８】
また、本実施の形態においては、化粧モール６５を採光開口部６１の両側縁に沿って幅狭に設けたことにより、嵌め込み式金具６７も採光開口部６１の両側縁に対応して設けられることとなるが、嵌め込み式金具６７が室外側側面形成部５４ａを超えて見込み方向における内側に突出することとなる。そのため、当該嵌め込み式金具６７との物理的干渉を適切に回避しつつ、室外側発泡材１７２による防火機能が適切に発揮されるように、室外側発泡材１７２を内側面５４ｄに取り付ける必要がある。特に、採光開口部６１は、その構成（つまり、開口となっている構成）上、火炎が通過し易いので、採光開口部６１付近の防火対策が適切に成される必要がある。
【００７９】
これに対し、本実施の形態に係る室外側発泡材１７２は、長手方向が上下方向に沿うように該上下方向に連続的に設けられ、かつ、嵌め込み式金具６７よりも外側に該嵌め込み式金具６７と接触しない状態で備えられていることとした。
【００８０】
そのため、嵌め込み式金具６７との物理的干渉を適切に回避することができる。また、室外側発泡材１７２が、上下方向に連続的に設けられていることと、左右方向において嵌め込み式金具６７よりも外側に設けられていることから、左右方向におけるガラス４６の外側の空間（図２において、符号Ｓで示す空間）を上下方向において隙間なく適切に埋めてくれる。したがって、火炎の通過を適切に防止することができる。
【００８１】
以上のことから、本実施の形態によれば、適切に防火対策が施され、意匠性が高く取り付けが簡易な化粧モール６５を備えるドア本体４０及び玄関ドア１０を実現することが可能となる。
【００８２】
＝＝＝その他の実施形態＝＝＝
上記の実施形態は、本発明の理解を容易にするためのものであり、本発明を限定して解釈するためのものではない。本発明は、その趣旨を逸脱することなく、変更・改良され得ると共に、本発明には、その等価物が含まれることは言うまでもない。
【００８３】
上記実施の形態においては、建具として玄関ドア１０を例に挙げたが、これに限定されるものではない。玄関ドアではなく他の用途でもよいし、玄関以外の箇所の建具であってもよい。
【００８４】
また、上記実施の形態においては、建具としてドアを例に挙げたが、これに限定されるものではない。例えば、引戸や窓であってもよい。
【００８５】
また、上記実施の形態においては、化粧モール６５は屋外面材６０ａに取り付けられていることとしたが、これに限定されるものではなく、屋内面材６０ｂに取り付けられていることとしてもよい。
【符号の説明】
【００８６】
１０  玄関ドア
２０  枠体、４０  ドア本体
４６  ガラス、４８  両端部
５０  骨材、５２  収容溝、５３  溝底面形成部
５４ａ  室外側側面形成部、５４ｃ  切り欠き、５４ｄ  内側面
６０ａ  屋外面材、６１  採光開口部
６５  化粧モール、６７  嵌め込み式金具
７０  加熱発泡材、７２  室外側発泡材、７２ｂ  内側端、７２ｃ  延出部
１７０  加熱発泡材、１７２  室外側発泡材、１７２ｂ  内側端
【図１】
0006440538.tif 000002
【図２】
0006440538.tif 000003
【図３】
0006440538.tif 000004
【図４】
0006440538.tif 000005
【図５】
0006440538.tif 000006
【図６】
0006440538.tif 000007
【図７】
0006440538.tif 000008
【図８】
0006440538.tif 000009
【図９】
0006440538.tif 000010
【図１０】
0006440538.tif 000011